(57)【要約】【課題】ナットをボルトのねじ部にナットを回転させることなく抜き差しにより行う。【解決手段】簡易式ナットＮは、略筒状のブロック１０からなり、軸挿通部１１と、ガイド溝１２及びガイド孔１３と、ロック孔１４及びロック部材１７とを有するナットブロック１と、ロック部材固定部２１１及びロック部材固定解除部２１２を有するスライダー２１と、スプリング２２と、操作ノブ２３とからなるロック部材ロック機構２とを備え、操作ノブ２３をナットブロック１の一端側に押圧してスライドさせながら、簡易式ナットＮをボルトＢのねじ部ｂに取り付け、又はボルトＢのねじ部ｂから取り外すようになっている。【選択図】図３
2019173825.tif 000002
【特許請求の範囲】
【請求項１】
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いる簡易式ナットであって、
略筒状のブロックからなり、前記ブロックの両端間に貫通して形成され、ボルトのねじ部を挿通可能な軸挿通部と、前記ブロックの外周面に形成され、軸方向に延びるガイド溝及び当該ガイド溝の一端に連続して軸方向に延びるガイド孔と、前記ブロックの前記ガイド溝の底面と内周面との間に貫通して形成され、前記ブロックの軸方向に対して直交する方向に延びるロック孔及び前記ロック孔に嵌合され、一端にボルトのねじ部に係合可能な係合部を形成され、他端が前記ガイド溝の底面と同じ高さに表出されるロック部材とを有するナットブロックと、
前記ナットブロックの前記ガイド溝に前記ガイド溝の一端の前記ガイド孔を通してスライド可能に嵌め込まれ、前記ガイド溝に対向する内周面に前記ロック孔に向けて凸状に形成されて前記ロック部材の他端を押えるロック部材固定部及び前記ロック部材固定部に隣接して凹状に形成されて前記ロック部材の他端の押えを解除するためのロック部材固定解除部を有するスライダーと、前記ナットブロックの前記ガイド孔内に挿着され、前記スライダーを常態として前記ガイド溝の他端に向けて押圧付勢するスプリングと、前記ナットブロックの外周面に軸方向にスライド可能に配設され、前記スライダーに結合される操作ノブとからなり、常態として、前記スライダーが前記ナットブロックの前記ガイド溝上で前記スプリングにより前記ガイド溝の他端に向けて押圧付勢されて、前記操作ノブが前記ナットブロックの外周面の他端側に配置されるとともに、前記スライダーの前記ロック部材固定部が前記ガイド溝の前記ロック孔上に配置されて、前記ロック部材固定部により前記ロック孔の前記ロック部材をロックし、前記操作ノブを前記ナットブロックの外周面上で前記ナットブロックの一端側に向けてスライドすることにより、前記スライダーが前記ガイド溝上を一端側に向けてスライドし、前記スライダーの前記ロック部材固定解除部が前記ガイド溝の前記ロック孔上に配置されて、前記ロック孔の前記ロック部材のロックを解除するロック部材ロック機構と、
を備え、
ボルトのねじ部に取り付ける際は、前記操作ノブを摘んで持ち、前記ナットブロックの一端から前記軸挿通部にボルトのねじ部を挿入し、前記ナットブロックの外周面上で前記操作ノブを前記ナットブロックの一端側に押圧してスライドさせながら、ボルトのねじ部上で前記ナットブロックを送り、ボルトのねじ部上の任意の締結位置で、前記操作ノブの押圧を解除することにより、ボルトのねじ部上で前記ナットブロックがロックされ、
ボルトのねじ部から取り外す際は、前記操作ノブを摘んで持ち、前記ナットブロックの外周面上で前記操作ノブを前記ナットブロックの一端側に押すことにより、ボルトのねじ部上で前記ナットブロックのロックが解除され、この状態を保持した状態で、ボルトのねじ部からナットブロックを引き抜く、
ことを特徴とする簡易式ナット。
【請求項２】
ロック部材は一端に係合部としてボルトのねじ部に係合可能な突起を有し、他端にロック部材固定部の受け部を有する小ピンからなり、ロック孔が前記小ピンからなるロック部材を嵌合可能に、かつ前記小ピン一端の前記突起がナットブロックの内周面から突出可能に、前記小ピン他端の前記受け部が前記ナットブロックのガイド溝の底面に表出可能に形成されて、前記ロック孔に嵌合装着される請求項１に記載の簡易式ナット。
【請求項３】
ロック部材は一端に係合部としてボルトのねじ部に係合可能な係止部を有し、他端にロック部材固定部の受け部を有する小プレートからなり、ロック孔が前記小プレートからなるロック部材を嵌合可能に、かつ前記小プレート一端の前記係止部がナットブロックの内周面から突出可能に、前記小プレート他端の前記受け部が前記ナットブロックのガイド溝の底面に表出可能に形成されて、前記ロック孔に嵌合装着される請求項１に記載の簡易式ナット。
【請求項４】
ロック部材はボルトのねじ部に係合可能な小ボールからなり、ロック孔が前記小ボールからなるロック部材を嵌合可能に、かつ前記小ボールの球面の一部が一端の係合部としてナットブロックの内周面から突出可能に、その反対側の球面の一部が他端として前記ナットブロックのガイド溝の底面に表出可能に形成されて、前記ロック孔に嵌合装着される請求項１に記載の簡易式ナット。
【請求項５】
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にボルト、ナットに代えて用いる簡易式ファスナーであって、
請求項１乃至４のいずれかに記載の簡易式ナットと、
ナットブロックの軸挿通部に挿通可能にピン状に形成され、その外周面にロック部材の係合部に係合可能な被係合部を有する取付ピンと、
からなり、
前記取付ピンに前記簡易式ナットを取り付ける際は、前記操作ノブを摘んで持ち、前記ナットブロックの一端から前記軸挿通部に前記取付ピンを挿入し、前記ナットブロックの外周面上で前記操作ノブを前記ナットブロックの一端側に押圧してスライドさせながら、前記取付ピン上で前記ナットブロックを送り、前記取付ピンの前記被係合部で、前記操作ノブの押圧を解除することにより、前記取付ピン上で前記ナットブロックがロックされ、
前記取付ピンから前記簡易式ナットを取り外す際は、前記操作ノブを摘んで持ち、前記ナットブロックの外周面上で前記操作ノブを前記ナットブロックの一端側に押すことにより、前記取付ピン上で前記ナットブロックのロックが解除され、この状態を保持した状態で、前記取付ピンから前記ナットブロックを引き抜く、
ことを特徴とする簡易式ナットを用いた簡易式ファスナー。
【発明の詳細な説明】
【技術分野】
【０００１】
本発明は簡易式ナット、及びこれを用いた簡易式ファスナーに関し、特に、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いる簡易式ナット、及びボルト、ナットに代えて用いる簡易式ファスナーに関する。
【背景技術】
【０００２】
一般に、２部材間の固定にボルト、ナットが使用される。ボルト、ナットで、２部材間を固定する場合、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結する。
ところで、ナットは、ボルトのねじ部の先端から螺合して取り付けるため、例えばボルトのねじ部が長いとナットを所定の締結位置まで移動させるのにナットを何回も回さなければならない。ナットの取り付け個数が多い場合、ナットをボルトの所定位置まで締め付けたり、締め付けられたナットをボルトから取り外したりするのに、非常に手間がかかる。時として、ナットを締め忘れることもある。
【０００３】
そこで、従来より、ボルトへの取り付け、取り外しを容易にしたナットが特許文献１により提案されている。
この文献１のナットは、ナット本体内にその軸方向に対してテーパ孔を貫通的に形成し、テーパ孔内に内周面に雌ねじを刻設したナットセグメントを周方向に分割して設けるとともに軸方向に摺動自在に設け、かつ各ナットセグメントを常時スプリングによりテーパ孔の小径側に付勢し、さらにナット本体にはテーパ孔の中心部を軸方向に移動する筒体と、ナット本体の外面を軸方向に摺動する操作環とを一体化してなる操作部材を設け、筒体にはこれをテーパ孔の大径側へ移動させることによりナットセグメントをテーパ孔の大径側へ押動させる係合部を形成したものである。
このようにしてナットをボルトのねじ部に取り付けたりねじ部から取り外したりする作業をナットを回転させることなく抜き差しにより行うことができる。
【先行技術文献】
【特許文献】
【０００４】
【特許文献１】実開平２−４０１１３号公報
【発明の概要】
【発明が解決しようとする課題】
【０００５】
しかしながら、上記従来のナットでは、ナットをボルトから取り外す場合に、ナットの各ナットセグメントがボルトのねじ部に係合（螺合）している状態から、ナットの操作環を引張ることにより筒体の係合部で各ナットセグメントをナットのテーパ孔の小径部から大径部に移動させるため、操作環の引き始めに強い力が必要で操作性が良好とは言い難く、また、ナットに係合されるボルトのねじ部が摩耗するおそれがある、という問題がある。
【０００６】
本発明は、このような従来の問題を解決するもので、ナットをボルトのねじ部に取り付けたりねじ部から取り外したりする作業を、ナットとボルトのねじ部との係合を確実に解除したうえで、ナットを回転させることなく抜き差しで行え、操作性の向上を図り、ボルトのねじ部の摩耗を防止することのできる簡易式ナット、及びこれを用いた簡易式ファスナーを提供すること、を目的とする。
【課題を解決するための手段】
【０００７】
上記目的を達成するために、本発明は、
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いる簡易式ナットであって、
略筒状のブロックからなり、前記ブロックの両端間に貫通して形成され、ボルトのねじ部を挿通可能な軸挿通部と、前記ブロックの外周面に形成され、軸方向に延びるガイド溝及び当該ガイド溝の一端に連続して軸方向に延びるガイド孔と、前記ブロックの前記ガイド溝の底面と内周面との間に貫通して形成され、前記ブロックの軸方向に対して直交する方向に延びるロック孔及び前記ロック孔に嵌合され、一端にボルトのねじ部に係合可能な係合部を形成され、他端が前記ガイド溝の底面と同じ高さに表出されるロック部材とを有するナットブロックと、
前記ナットブロックの前記ガイド溝に前記ガイド溝の一端の前記ガイド孔を通してスライド可能に嵌め込まれ、前記ガイド溝に対向する内周面に前記ロック孔に向けて凸状に形成されて前記ロック部材の他端を押えるロック部材固定部及び前記ロック部材固定部に隣接して凹状に形成されて前記ロック部材の他端の押えを解除するためのロック部材固定解除部を有するスライダーと、前記ナットブロックの前記ガイド孔内に挿着され、前記スライダーを常態として前記ガイド溝の他端に向けて押圧付勢するスプリングと、前記ナットブロックの外周面に軸方向にスライド可能に配設され、前記スライダーに結合される操作ノブとからなり、常態として、前記スライダーが前記ナットブロックの前記ガイド溝上で前記スプリングにより前記ガイド溝の他端に向けて押圧付勢されて、前記操作ノブが前記ナットブロックの外周面の他端側に配置されるとともに、前記スライダーの前記ロック部材固定部が前記ガイド溝の前記ロック孔上に配置されて、前記ロック部材固定部により前記ロック孔の前記ロック部材をロックし、前記操作ノブを前記ナットブロックの外周面上で前記ナットブロックの一端側に向けてスライドすることにより、前記スライダーが前記ガイド溝上を一端側に向けてスライドし、前記スライダーの前記ロック部材固定解除部が前記ガイド溝の前記ロック孔上に配置されて、前記ロック孔の前記ロック部材のロックを解除するロック部材ロック機構と、
を備え、
ボルトのねじ部に取り付ける際は、前記操作ノブを摘んで持ち、前記ナットブロックの一端から前記軸挿通部にボルトのねじ部を挿入し、前記ナットブロックの外周面上で前記操作ノブを前記ナットブロックの一端側に押圧してスライドさせながら、ボルトのねじ部上で前記ナットブロックを送り、ボルトのねじ部上の任意の締結位置で、前記操作ノブの押圧を解除することにより、ボルトのねじ部上で前記ナットブロックがロックされ、
ボルトのねじ部から取り外す際は、前記操作ノブを摘んで持ち、前記ナットブロックの外周面上で前記操作ノブを前記ナットブロックの一端側に押すことにより、ボルトのねじ部上で前記ナットブロックのロックが解除され、この状態を保持した状態で、ボルトのねじ部からナットブロックを引き抜く、
ことを要旨とする。
また、この簡易式ナットは各部が次のように構成されることが好ましい。
（１）ロック部材は一端に係合部としてボルトのねじ部に係合可能な突起を有し、他端にロック部材固定部の受け部を有する小ピンからなり、ロック孔が前記小ピンからなるロック部材を嵌合可能に、かつ前記小ピン一端の前記突起がナットブロックの内周面から突出可能に、前記小ピン他端の前記受け部が前記ナットブロックのガイド溝の底面に表出可能に形成されて、前記ロック孔に嵌合装着される。
（２）ロック部材は一端に係合部としてボルトのねじ部に係合可能な係止部を有し、他端にロック部材固定部の受け部を有する小プレートからなり、ロック孔が前記小プレートからなるロック部材を嵌合可能に、かつ前記小プレート一端の前記係止部がナットブロックの内周面から突出可能に、前記小プレート他端の前記受け部が前記ナットブロックのガイド溝の底面に表出可能に形成されて、前記ロック孔に嵌合装着される。
（３）ロック部材はボルトのねじ部に係合可能な小ボールからなり、ロック孔が前記小ボールからなるロック部材を嵌合可能に、かつ前記小ボールの球面の一部が一端の係合部としてナットブロックの内周面から突出可能に、その反対側の球面の一部が他端として前記ナットブロックのガイド溝の底面に表出可能に形成されて、前記ロック孔に嵌合装着される。
【０００８】
また、上記目的を達成するために、本発明は、
一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にボルト、ナットに代えて用いる簡易式ファスナーであって、
上記の簡易式ナットと、
ナットブロックの軸挿通部に挿通可能にピン状に形成され、その外周面にロック部材の係合部に係合可能な被係合部を有する取付ピンと、
からなり、
前記取付ピンに前記簡易式ナットを取り付ける際は、操作ノブを摘んで持ち、前記ナットブロックの一端から前記軸挿通部に前記取付ピンを挿入し、前記ナットブロックの外周面上で前記操作ノブを前記ナットブロックの一端側に押圧してスライドさせながら、前記取付ピン上で前記ナットブロックを送り、前記取付ピンの前記被係合部で、前記操作ノブの押圧を解除することにより、前記取付ピン上で前記ナットブロックがロックされ、
前記取付ピンから前記簡易式ナットを取り外す際は、前記操作ノブを摘んで持ち、前記ナットブロックの外周面上で前記操作ノブを前記ナットブロックの一端側に押すことにより、前記取付ピン上で前記ナットブロックのロックが解除され、この状態を保持した状態で、前記取付ピンから前記ナットブロックを引き抜く、
ことを要旨とする。
【発明の効果】
【０００９】
（１）本発明の簡易式ナットによれば、上記の構成により、簡易式ナットをボルトのねじ部に取り付ける際は、操作ノブを摘んで持ち、ナットブロックの一端から軸挿通部にボルトのねじ部を挿入し、ナットブロックの外周面上で操作ノブをナットブロックの一端側に押圧してスライドさせながら、ボルトのねじ部上でナットブロックを送り、ボルトのねじ部上の任意の締結位置で、操作ノブの押圧を解除することにより、ボルトのねじ部上でナットブロックがロックされ、簡易式ナットをボルトのねじ部から取り外す際は、操作ノブを摘んで持ち、ナットブロックの外周面上で操作ノブをナットブロックの一端側に押すことにより、ボルトのねじ部上でナットブロックのロックが解除され、この状態を保持した状態で、ボルトのねじ部からナットブロックを引き抜くようにしたので、簡易式ナットをボルトのねじ部に取り付けたりねじ部から取り外したりする作業を、簡易式ナットとボルトのねじ部との係合を確実に解除したうえで、簡易式ナットを回転させることなく抜き差しにより行え、操作性の向上を図ることができ、ボルトのねじ部の摩耗を防止することができる、という格別な効果を奏する。
（２）本発明の簡易式ファスナーによれば、上記の構成により、取付ピンに簡易式ナットを取り付ける際は、操作ノブを摘んで持ち、ナットブロックの一端から軸挿通部に取付ピンを挿入し、ナットブロックの外周面上で操作ノブをナットブロックの一端側に押圧してスライドさせながら、取付ピン上でナットブロックを送り、取付ピンの被係合部で、操作ノブの押圧を解除することにより、取付ピン上でナットブロックがロックされ、取付ピンから簡易式ナットを取り外す際は、操作ノブを摘んで持ち、ナットブロックの外周面上で操作ノブをナットブロックの一端側に押すことにより、取付ピン上でナットブロックのロックが解除され、この状態を保持した状態で、取付ピンからナットブロックを引き抜くようにしたので、簡易式ナットを取付ピンに取り付けたり取り外したりする作業を、簡易式ナットと取付ピンとの係合を確実に解除したうえで、簡易式ナットを回転させることなく抜き差しにより行え、操作性の向上を図ることができる、という格別な効果を奏する。
【図面の簡単な説明】
【００１０】
【図１】本発明の一実施の形態における簡易式ナットの外部構成を示す図（（ａ）は正面図（ｂ）は側面図（ｃ）は背面図）
【図２】同簡易式ナットの内部構成を拡大して示す図（（ａ）は同簡易式ナットのロック状態での拡大側面断面図（ｂ）は同簡易式ナットのロック解除状態での拡大側面断面図）
【図３】同簡易式ナットとボルトによる２部材間の取付構造を示す図（側面断面図）
【図４】本発明の一実施の形態における簡易式ファスナーの内部構成を拡大して示す図（拡大側面断面図）
【発明を実施するための形態】
【００１１】
次に、この発明の実施の形態について図を用いて説明する。
図１、図２に簡易式ナットの一実施の形態を示している。
図１、図２に示すように、この簡易式ナットＮ（以下、単にナットＮという場合がある。）は、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にナットに代えて用いるもので、ロック部材を有するナットブロック１と、ロック部材ロック機構２と、を備えて構成される。
【００１２】
ナットブロック１は、略筒状のブロック１０からなり、ブロック１０の両端間に貫通して形成され、ボルトのねじ部を挿通可能な軸挿通部１１と、ブロック１０の外周面に形成され、ブロック１０の軸方向に延びるガイド溝１２及びこのガイド溝１２の一端に連続してブロック１０の軸方向に延びるガイド孔１３と、ブロック１０のガイド溝１２の底面と内周面との間に貫通して形成され、ブロック１０の軸方向に対して直交する方向に延びるロック孔１４及びこのロック孔１４に嵌合され、一端にボルトのねじ部に係合可能な係合部１５を形成され、他端がガイド溝１２の底面と同じ高さに表出されるロック部材１７とを有する。
【００１３】
この場合、ブロック１０は略円筒状で、外周面の一端側に断面ハット形を呈する２段からなる円環部１０１、１０２を有する。２段の円環部１０１、１０２はブロック１０の外周面の（軸方向中央から見て）外側の円環部１０１が外周面の他端側の外径よりも少し大径で、内側の円環部１０２が外側の円環部１０１よりも少し大径になっている。
軸挿通部１１はブロック１０の軸心に一端から他端までボルトのねじ部が嵌合可能に円筒状に貫通形成される。
ガイド溝１２はブロック１０の外周面の他端側で相互に対向する位置２箇所にそれぞれブロック１０の軸方向に向けて断面コ字形（溝形）に全体として細長に形成され、各々の一端は内側の円環部１０２の端面まで延ばされ、他端はブロック１０の他端（面）近傍まで延ばされる。ガイド孔１３はブロック１０の外周面の一端側で各ガイド溝１２の一端に連続して、すなわち、２段の円環部１０１、１０２内で各ガイド溝１２の一端の延長上となる位置にそれぞれ、各ガイド溝１２の一端に連続して各ガイド溝１２と同じ高さ、同じ幅の断面矩形状に形成される。なお、ブロック１０の一端に対応するガイド孔１３の一端は小径に形成されてスプリング受け部１３０になっている。
ロック孔１４は各ガイド溝１２の底面に軸方向に２つ、ここではガイド溝１２の一端とこの一端から他端方向に所定の間隔をあけて中間に、各ガイド溝１２の底面とブロック１０の内周面との間を貫通して形成される。また、各ロック孔１４は後述する小ピンからなるロック部材１７を嵌合可能に、かつ小ピン一端の突起（係合部）１５が（ナットブロック１の）ブロック１０の内周面から突出可能に、小ピン他端の受け部１６が（ナットブロック１の）ブロック１０のガイド溝１２の底面にこの底面と同じ高さに表出可能に、所定の径、所定の長さの円筒状に形成され、底面側の端部が少し大径に形成されて溝１４０が設けられる。
各ロック孔１３に装着される各ロック部材１７は所定の径、長さを有する小ピンからなり、一端に係合部１５としてボルトのねじ部に係合可能な突起１５（以下、突起１５という。）を有し、他端に後述するロック部材ロック機構２のロック部材固定部２１１の受け部１６を有する。各ロック部材１７の突起１５はボルトのねじ部のねじ山間に係合可能に先細の突状に形成され、受け部１６は少し大径で平坦な円板状に形成される。このようにして各ロック部材１７は他端の少し大径の受け部１６が各ロック孔１４の底面側端部の少し大径の溝１４０に嵌め込まれて、各ロック孔１４にガイド溝１２側から出没可能に嵌合装着され、一端の突起１５がブロック１０の内周面から突出される。
【００１４】
ロック部材ロック機構２は、スライダー２１と、スプリング２２と、操作ノブ２３とからなる。
【００１５】
スライダー２１は、（ナットブロック１）のブロック１０の各ガイド溝１２にこのガイド溝１２の一端から延びるガイド孔１３を通してスライド可能に嵌め込まれ、ガイド溝１２（の底面）に対向する（スライダー２１の）内周面にロック孔１４に向けて凸状に形成されてロック部材１７の他端、つまり受け部１６を押えるロック部材固定部２１１、及びこのロック部材固定部２１１に隣接して凹状に形成されてロック部材１７の他端の押えを解除するためのロック部材固定解除部２１２を有する。
【００１６】
この場合、スライダー２１は、長さがガイド溝１２の長さよりも少し長く、幅がガイド溝１２の幅よりも僅かに小さく形成され、一端がガイド孔１３に挿入可能に高さがガイド孔１３の高さよりも僅かに小さい（縦）断面矩形状に、他端側がガイド溝１２に嵌合可能でかつ高さがガイド溝１２の高さよりも少し大きい（縦）断面矩形状に形成されて、一端側と他端側との間に段差部２１３を有している。また、各スライダー２１の一端の先端面は溝形に形成されてスプリング受け部２１０になっている。
各スライダー２１のロック部材固定部２１１は各スライダー２１の内周面の一端及びこの一端から他端方向に所定の間隔をあけた中間部にそれぞれ、ガイド溝１２の一端及び中間部の各ロック孔１４に対応してロック孔１４のロック部材１７の受け部１６を面接触して押え可能に凸状に形成される。各スライダー２１のロック部材固定解除部２１２は各スライダー２１の内周面の各ロック部材固定部２１１にスライダー２１の他端側で隣接してガイド溝１２の一端及び中間部の各ロック孔１４に対向してロック孔１４のロック部材１７の受け部１６の押えを解除可能に、つまり、ロック部材１７がロック孔１４のガイド溝１２側の開口から出没可能に凹状に形成される。
なお、各スライダー２１の外周面にはピン挿着部２１４が設けられる。
このようにして各スライダー２１は一端の先端部が各ガイド孔１３に挿入されて各ガイド溝１２に嵌め込まれる。
【００１７】
スプリング２２は、（ナットブロック１の）ブロック１０のガイド孔１３内に挿着され、スライダー２１を常態としてガイド溝１３の他端に向けて押圧付勢する。
【００１８】
この場合、スプリング２２は、ブロック１０のガイド孔１３に挿入可能なコイルスプリングで、スプリング２２が各ガイド孔１３に挿入され、一端がガイド孔１３一端のスプリング受け部１３０に保持され、他端がスライダー２１の先端部のスプリング受け部２１０に保持されて、各ガイド孔１３内で圧縮される。
このようにして各スプリング２２は各スライダー２１を常態として各ガイド溝１２の他端（の立ち上がり面）に圧接可能に押圧付勢する。
【００１９】
操作ノブ２３は、（ナットブロック１の）ブロック１０の外周面に軸方向にスライド可能に配設され、スライダー２１に結合される。
【００２０】
この場合、操作ノブ２３は、ブロック１０の外周面の他端側に外嵌可能にかつ各スライダー２１の他端側の外周面に被着可能に、所定の径、軸方向の長さを有するリング状に形成され、その内周面の各スライダー２１に対応する位置にそれぞれ、各スライダー２１の他端側（ガイド溝１２から突出される部分）に嵌合可能な溝２３０が形成される。なお、これらの溝２３０は一端が開口されてスライダー２１の他端側の外周面の段差部２１３と面一に、他端がスライダー２１の他端の後端面（ガイド溝１２から突出される部分）に被着可能に閉鎖される。また、この操作ノブ２３の各スライダー２１に対応する位置には、各スライダー２１のピン挿着部２１４に対向する位置に、ピン挿通部２３１が操作ノブ２３の外周面と内周面との間を貫通して形成される。
このようして操作ノブ２３は（ナットブロック１の）ブロック１０の外周面の他端側に各溝２３０と各スライダー２１とを合せて嵌め込まれ、操作ノブ２３の各ピン挿通部２３１から各スライダー２１の各ピン挿着部２１４にピン２３２が挿着されて操作ノブ２３と各スライダー２１が連結される。
【００２１】
かくしてロック部材ロック機構２は、常態として、各スライダー２１がナットブロック１の各ガイド溝１２上で各スプリング２２により各ガイド溝１２の他端に向けて押圧付勢されて、各スライダー２１に連結された操作ノブ２３がナットブロック１の外周面の他端側に配置されるとともに、各スライダー２１の各ロック部材固定部２１１が各ガイド溝１２の各ロック孔１４上に配置されて、各ロック部材固定部２１１により各ロック孔１４の各ロック部材１７がロックされ、操作ノブ２３をナットブロック１の外周面上でナットブロック１の一端側に向けてスライドすることにより、各スライダー２１が各ガイド溝１２上を一端側に向けてスライドし、各スライダー２１の各ロック部材固定解除部２１２が各ガイド溝１２の各ロック孔１４上に配置されて、各ロック孔１４の各ロック部材１７のロックが解除されるようになっている。
【００２２】
簡易式ナットＮはかかる構成からなり、このナットＮをボルトのねじ部に取り付ける際は、操作ノブ２３を摘んで持ち、ナットブロック１の一端から軸挿通部１１にボルトのねじ部を挿入し、ナットブロック１の外周面上で操作ノブ２３をナットブロック１の一端側に押圧してスライドさせながら、ボルトのねじ部上でナットブロック１を送り、ボルトのねじ部上の任意の締結位置で、操作ノブ２３の押圧を解除することにより、ボルトのねじ部上でナットブロック１がロックされ、このナット１をボルトのねじ部から取り外す際は、操作ノブ２３を摘んで持ち、ナットブロック１の外周面上で操作ノブ２３をナットブロック１の一端側に押すことにより、ボルトのねじ部上でナットブロック１のロックが解除され、この状態を保持した状態で、ボルトのねじ部からナットブロック１を引き抜くようになっている。
【００２３】
図３に一方の部材に突設された被締め込み側のボルトを他方の部材に穿設されたボルト挿通孔に通し、当該ボルト挿通孔に通された被締め込み側のボルトに簡易式ナットを締結して、一方の部材に他方の部材を取り付けるボルト、簡易式ナットによる２部材間の取付構造を例示している。
図３に示すように、一方の部材Ａ１から突設され、他方の部材Ａ２のボルト挿通孔０に通された被締め込み側のボルトＢに簡易式ナットＮを締結する場合、図２を参照すると、まず、図２（１）に示すように、簡易式ナットＮを操作ノブ２３を摘んで持ち、ナットブロック１の一端から軸挿通部１１にボルトＢのねじ部ｂを挿入する。そして、図２（２）に示すように、操作ノブ２３をナットブロック１の外周面上で（スプリング２２の付勢力に抗して）ナットブロック１の一端側に押圧してスライドさせながら、この簡易式ナットＮを２部材Ａ１、Ａ２に向けて押し込むと、これと同時に、操作ノブ２３に結合された各スライダー２１がナットブロック１の各ガイド溝１２上で各ガイド溝１２一端の各ガイド孔１３に挿入されて各ガイド溝１２の一端側にスライドし、各ガイド溝１２の各ロック孔１４上に各スライダー２１の各ロック部材固定部２１１から各ロック部材固定解除部２１２が切り替え配置されることにより、各ロック孔１４の各ロック部材１７のロックが解除され、ナットブロック１の軸挿通部１１に挿入されたボルトＢのねじ部ｂは各ロック部材１７を各ロック孔１４に押し戻しながら（つまり、各ロック孔１４の各ロック部材１７はボルトＢの各ねじ山に押される毎に、各ロック部材１７の一端は、突起１５がボルトＢの各ねじ山の斜面に沿って各ねじ山に乗り上げて、各ロック孔１４内に引込み、他端は受け部１６が各ロック孔１４から各ガイド溝１２の底面上に突出して、各ロック孔１４の内周面側、ガイド溝１２の底面側で出没しながら）、ナットブロック１の軸挿通部１１の奥まで円滑に挿通される。そして、このナットＮをボルトＢのねじ部ｂの任意の締結位置まで送ったところで、操作ノブ２３の押圧を解除すると、これと同時に、図３に示すように、操作ノブ２３に結合された各スライダー２１が各スプリング２２の付勢力によりナットブロック１の各ガイド溝１２上で各ガイド溝１２の他端側にスライドして、各ガイド溝１２の各ロック孔１４上に各スライダー２１の各ロック部材固定解除部２１２から各ロック部材固定部２１１が切り替え配置されることにより、各ロック孔１４の各ロック部材１７が各ロック部材固定部２１１によりロックされる。かくして、簡易式ナットＮはボルトＢのねじ部ｂの任意の締結位置でロックされる。なお、この場合、各ロック孔１４の各ロック部材１７は各スライダー２１の各ロック部材固定部２１１に押えられているだけで、各ロック部材１７に圧力は掛けられていないので、ナットＮはボルトＢのねじ部ｂ上で回転可能であり、非常の際は、ナットＮを回すことにより取り外すことができる。
また反対に、被締め込み側のボルトＢに締結された簡易式ナットＮを取り外す場合は、図２を参照すると、まず、図２（１）に示すように、簡易式ナットＮを操作ノブ２３を摘んで持ち、操作ノブ２３をナットブロック１の外周面上で（スプリング２２の付勢力に抗して）ナットブロック１の一端側に押圧してスライドさせると、これと同時に、図２（２）に示すように、操作ノブ２３に結合された各スライダー２１がナットブロック１の各ガイド溝１２上で各ガイド溝１２一端の各ガイド孔１３に挿入されてガイド溝１２の一端側にスライドし、各ガイド溝１２の各ロック孔１４上に各スライダー２１の各ロック部材固定部２１１から各ロック部材固定解除部２１２が切り替え配置されて、各ロック孔１４の各ロック部材１７のロックが解除される。そして、この状態の操作ノブ２３を保持して、この場合、ナットブロック１の一端側に押した操作ノブ２３とナットブロック１の一端側を合せて摘んで、簡易式ナットＮをボルトＢのねじ部ｂから引き抜けばよい。このようにナットＮを取り外すときは、操作ノブ２３を押しスライドさせる、つまり、このワンアクションを入れるようにしたことで、ナットＮの脱落事故を防止することができる。
なお、被締め込み側のボルトＢに簡易式ナットＮを取り付ける場合でも、このナットＮを取り外す場合と同様に、あらかじめ操作ノブ２３をナットブロック１の外周面上でナットブロック１の一端側に押圧してスライドさせ、各ロック孔１４の各ロック部材１７のロックを解除して、これを保持した状態から、すなわち、ナットブロック１の一端側に押した操作ノブ２３とナットブロック１の一端側を合せて摘んだ状態にして、ナットブロック１の軸挿通部１１にボルトＢのねじ部ｂを差し通すようにしてもよい。
【００２４】
また、このナットＮは、ナットブロック１の他端から軸挿通部１１にボルトＢのねじ部ｂを挿入することもできる。この場合も、ナットＮを取り外す場合と同様に、あらかじめ操作ノブ２３をナットブロック１の外周面上でナットブロック１の一端側に押圧してスライドさせ、各ロック孔１４の各ロック部材１７のロックを解除して、これを保持した状態から、すなわち、ナットブロック１の一端側に押した操作ノブ２３とナットブロック１の一端側を合せて摘んだ状態にして、ナットブロック１の軸挿通部１１に他端からボルトＢのねじ部ｂを差し通せばよい。
【００２５】
以上説明したように、この簡易式ナットＮによれば、このナットＮをボルトのねじ部に取り付ける際は、操作ノブ２３を摘んで持ち、ナットブロック１の一端から軸挿通部１１にボルトのねじ部を挿入し、ナットブロック１の外周面上で操作ノブ２３をナットブロック１の一端側に押圧してスライドさせながら、ボルトのねじ部上でナットブロック１を送り、ボルトのねじ部上の任意の締結位置で、操作ノブ２３の押圧を解除することにより、ボルトのねじ部上でナットブロック１がロックされ、このナットＮをボルトのねじ部から取り外す際は、操作ノブ２３を摘んで持ち、ナットブロック１の外周面上で操作ノブ２３をナットブロック１の一端側に押すことにより、ボルトのねじ部上でナットブロック１のロックが解除され、この状態を保持した状態で、ボルトのねじ部からナットブロック１を引き抜くようにしたので、簡易式ナットＮをボルトのねじ部に取り付けたりねじ部から取り外したりする作業を、簡易式ナットＮとボルトのねじ部との係合を確実に解除したうえで、簡易式ナットＮを回転させることなく抜き差しで行え、操作性の向上を図ることができ、ボルトのねじ部の摩耗を防止することができる。
したがって、このナットＮによると、ナットＮを脱着式にしたことで、ナットＮの取り付け個数が多い場合でも、ナットＮをボルトの所定位置まで締め付けたり、締め付けられたナットＮをボルトから取り外したりするのに、従来のような煩雑な手間がかからず、誰もがナットＮをボルトのねじ部に同じように締結することができ、ナットＮを締め忘れることもない。
【００２６】
また、このナットＮでは、ナットブロック１の軸挿通部１１がナットブロック１の両端間を貫通して形成されているので、ナットＮをボルトに取り付ける場合に、短いボルトの場合は、ねじ部を軸挿通部１１内に収容して取り付け、長いボルトの場合は、ねじ部を軸挿通部１１の他端から突き出して取り付けることができ、短いボルトでも長いボルトでも同様に使用することができる。
【００２７】
なお、この実施の形態では、ロック部材１７は一端に係合部１５としてボルトのねじ部に係合可能な突起１５を有し、他端にロック部材固定部２１１の受け部１６を有する小ピンからなり、ロック孔１４が小ピンからなるロック部材１７を嵌合可能に、かつ小ピン一端の突起１５がナットブロック１の内周面から突出可能に、小ピン他端の受け部１６がナットブロック１のガイド溝１２の底面に表出可能に形成されて、ロック孔１４に嵌合装着されるものとしたが、ロック部材１７は一端に係合部としてボルトのねじ部に係合可能な係止部を有し、他端にロック部材固定部の受け部を有する小プレートからなり、ロック孔１４が小プレートからなるロック部材を嵌合可能に、かつ小プレート一端の係止部がナットブロックの内周面から突出可能に、小プレート他端の受け部がナットブロックのガイド溝の底面に表出可能に形成されて、ロック孔に嵌合装着されるものとしてもよく、さらに、ロック部材１７はボルトのねじ部に係合可能な小ボールからなり、ロック孔１４が小ボールからなるロック部材を嵌合可能に、かつ小ボールの球面の一部が一端の係合部としてナットブロックの内周面から突出可能に、その反対側の球面の一部が他端としてナットブロックのガイド溝の底面に表出可能に形成されて、ロック孔に嵌合装着されるようにしてもよい（図４参照）。
このようにしても上記実施の形態と同様の作用効果を奏することができる。
また、この実施の形態では、ナットブロック１にガイド溝１２が２つ設けられ、これに対応してロック部材ロック機構２にスライダー２１、スプリング２２が２つずつ設けられているが、ナットブロック１にガイド溝１２が３つ以上設けられ、これに対応してロック部材ロック機構２にスライダー２１、スプリング２２が３つ以上設けられてもよく、また、ナットブロック１にガイド溝１２が１つ設けられ、これに対応してロック部材ロック機構２にスライダー２１、スプリング２２が１つずつ設けられてもよい。また、ナットブロック１にロック部材１７が２つ設けられているが、ナットブロック１にロック部材１７が３つ以上設けられてもよく、１つのみ設けられてもよい。さらに、ロック部材ロック機構２の操作ノブ２３はリング状に形成されているが、スライダー２１毎に分割されてボタン状に形成されてもよい。
このようにしても上記実施の形態と同様の作用効果を奏することができる。
【００２８】
図４に簡易式ファスナーの一実施の形態を示している。
図４に示すように、この簡易式ファスナーＦ（以下、単にファスナーＦという場合がある。）は、一方の部材に突設された被締め込み側のボルトのねじ部を他方の部材に穿設されたボルト挿通孔に通し、当該ボルト挿通孔を通された被締め込み側のボルトのねじ部に締め込み側のナットを締結して、一方の部材に他方の部材を取り付けるボルト、ナットによる複数の部材間の取付構造にボルト、ナットに代えて用いるもので、簡易式ナットＮと、取付ピンＰとからなる。
【００２９】
簡易式ナットＮは既述のとおりである。
なお、この場合、ロック部材１７は取付ピンの被係合部３０に係合可能な小ボールからなり、ロック孔１４が小ボールからなるロック部材１７を嵌合可能に、かつ小ボールの球面の一部が一端の係合部１５としてナットブロック１の内周面から突出可能に、その反対側の球面の一部が他端としてナットブロック１のガイド溝１２の底面に表出可能に形成されて、ロック孔１４に嵌合装着される。
【００３０】
取付ピンＰは、簡易式ナットＮのナットブロック１の軸挿通部１１に挿通可能にピン状に形成され、その外周面に各ロック部材１７の係合部１５に係合可能な被係合部３０を有する。
この場合、取付ピンＰはナットブロック１の軸挿通部１１に挿通可能に所定の径、長さを有し、その外周面には所定の位置に被係合部３０としてロック部材１７の小ボールの球面の一部が嵌合可能に断面円弧状の凹部が形成される。
【００３１】
このようにして簡易式ファスナーＦは、取付ピンＰに簡易式ナットＮを取り付ける際は、操作ノブ２３を摘んで持ち、ナットブロック１の一端から軸挿通部１１に取付ピンＰを挿入し、ナットブロック１の外周面上で操作ノブ２３をナットブロック１の一端側に押圧してスライドさせながら、取付ピンＰ上でナットブロック１を送り、取付ピンＰの被係合部３０の位置で、この場合、凹部３０の位置で、操作ノブ２３の押圧を解除することにより、取付ピンＰ上でナットブロック１がロックされ、取付ピンＰから簡易式ナットＮを取り外す際は、操作ノブ２３を摘んで持ち、ナットブロック１の外周面上で操作ノブ２３をナットブロック１の一端側に押すことにより、取付ピンＰ上でナットブロック１のロックが解除され、この状態を保持した状態で、取付ピンＰからナットブロック１を引き抜くようになっている。
【００３２】
ここでは、特に図示していないが、この簡易式ファスナーＦを用いて、一方の部材と他方の部材を締結する場合も、一方の部材に穿設されたピン挿通孔に取付ピンＰを通し、この一方の部材から突設された取付ピンＰを他方の部材に穿設されたボルト挿通孔に通し、このボルト挿通孔に通された取付ピンＰに簡易式ナットＮを締結する。この場合、まず、簡易式ナットＮを操作ノブ２３を摘んで持ち、ナットブロック１の一端から軸挿通部１１に取付ピンＰを挿入し、ナットブロック１の外周面上で操作ノブ２３を（スプリング２２の付勢力に抗して）ナットブロック１の一端側に押圧してスライドさせながら、この簡易式ナットＮを一方、他方の各部材に向けて押し込むと、これと同時に、操作ノブ２３に結合されたスライダー２１がナットブロック１のガイド溝１２上でガイド溝１２一端のガイド孔１３を通してガイド溝１２の一端側にスライドして、ガイド溝１２のロック孔１４上にスライダー２１のロック部材固定部２１１からロック部材固定解除部２１２が切り替え配置されることにより、ロック孔１４のロック部材１７のロックが解除されて、ナットブロック１の軸挿通部１１に挿入された取付ピンＰはロック部材１７をロック孔１４に押し戻しながら、ナットブロック１の軸挿通部１１の奥まで円滑に挿通される。かくして、この簡易式ナットＮを取付ピンＰ上の係合位置（各ロック部材１７と被係合部３０との係合位置）まで簡単かつ円滑に送ることができる。そして、簡易式ナットＮを取付ピンＰ上の係合位置まで送ったところで、操作ノブ２３の押圧を解除すれば、これと同時に、操作ノブ２３に結合されたスライダー２１がスプリング２２の付勢力によりナットブロック１のガイド溝１２上をガイド溝１２の他端側にスライドして、ガイド溝１２のロック孔１４上にスライダー２１のロック部材固定解除部２１２からロック部材固定部２１１が切り替え配置されることにより、ロック孔１４のロック部材１７がロック部材固定部２１１によりロックされる。かくして、簡易式ナットＮを取付ピンＰ上の係合位置で簡単かつ確実にロックすることができる。
また、反対に取付ピンＰに締結された簡易式ナットＮを取り外す場合も、まず、簡易式ナットＮを操作ノブ２３を摘んで持ち、ナットブロック１の外周面上で操作ノブ２３を（スプリング２２の付勢力に抗して）ナットブロック１の一端側に押圧してスライドさせると、これと同時に、操作ノブ２３に結合されたスライダー２１がナットブロック１のガイド溝１２上でガイド溝１２一端のガイド孔１４を通してガイド溝１２の一端側にスライドして、ガイド溝１２のロック孔１４上にスライダー２１のロック部材固定部２１１からロック部材固定解除部２１２が切り替え配置されることにより、ロック孔１４のロック部材１７のロックが解除されるので、この状態の操作ノブ２３を保持して簡易式ナットＮを取付ピンＰから引き抜けば、簡易式ナットＮを取付ピンＰから簡単かつ円滑に取り外すことができる。
【００３３】
以上説明したように、簡易式ファスナーＦによれば、簡易式ナットＮを取付ピンＰに取り付けたり取り外したりする作業を、簡易式ナットＮと取付ピンＰとの係合を確実に解除したうえで、簡易式ナットＮを回転させることなく抜き差しで行え、操作性の向上を図ることができる。
したがって、本発明の簡易式ナットＮを用いた簡易式ファスナーＦによれば、一方の部材と他方の部材を簡易かつ確実に締結することができる。
【００３４】
なお、この実施の形態では、簡易式ナットＮのロック部材１７を小ボールとし、取付ピンＰの被係合部３０を凹部として例示したが、簡易式ナットＮのロック部材１７を一端に突起を有する小ピンとした場合は、取付ピンＰの被係合部３０を小ピンの突起が係合可能な溝とすればよく、簡易式ナットＮのロック部材１７を一端に係止部を有する小プレートとした場合は、取付ピンＰの被係合部３０を小プレートの係止部が係合可能な係合凹部とすればよい。
このようにしても上記実施の形態と同様の作用効果を奏する。
また、上記実施の形態では、ナットブロック１を取付ピンＰ上で送り、ナットブロック１の各ロック部材１７と取付ピンＰの被係合部３０との係合位置に停止させるため、ナットブロック１及び取付ピンＰの双方又は一方にストッパーが設けられてもよい。
このようにすることで、ナットブロック１を取付ピンＰの被係合部３０の位置に確実かつ簡単に送ることができる。
【符号の説明】
【００３５】
Ｎ  簡易式ナット
１  ナットブロック
１０  ブロック
１０１  円環部
１０２  円環部
１１  軸挿通部
１２  ガイド溝
１３  ガイド孔
１３０  スプリング受け部
１４  ロック孔
１４０  溝
１５  係合部（突起）
１６  受け部
１７  ロック部材
２  ロック部材ロック機構
２１  スライダー
２１０  スプリング受け部
２１１  ロック部材固定部
２１２  ロック部材固定解除部
２１３  段差部
２１４  ピン挿着部
２２  スプリング（コイルスプリング）
２３  操作ノブ
２３０  溝
２３１  ピン挿通部
２３２  ピン
Ａ１  一方の部材
Ａ２  他方の部材
０  ボルト挿通孔
Ｂ  ボルト
ｂ  ねじ部
Ｆ  簡易式ファスナー
Ｎ  簡易式ナット
Ｐ  取付ピン
３０  被係合部（凹部）
【図１】
2019173825.tif 000003
【図２】
2019173825.tif 000004
【図３】
2019173825.tif 000005
【図４】
2019173825.tif 000006